(57)【要約】      （修正有）【課題】Ｄ２Ｄ通信をサポートする移動通信システムにおいて用いられる通信制御方法を提供する。【解決手段】第１ユーザ端末ＵＥ１００−１が、直接通信に使用可能な第１種類の送信リソースプールと、直接通信に使用可能な第２種類の送信リソースプールとを示す情報を基地局から受信するステップと、第２ユーザ端末ＵＥ１００−２が、第１種類の送信リソースプールに関する第１情報を送信するステップと、第１ユーザ端末が、第１情報を受信するステップと、第１ユーザ端末が、第１情報に基づいて、第１種類の送信リソースプールを使用して直接通信を行うか、第２種類の送信リソースプールを使用して直接通信を行うかを決定するステップとを備える。【選択図】図８
2018152888.tif 000002
【特許請求の範囲】
【請求項１】
通信制御方法であって、
第１ユーザ端末が、直接通信に使用可能な第１種類の送信リソースプールと、前記直接通信に使用可能な第２種類の送信リソースプールとを示す情報を基地局から受信するステップと、
第２ユーザ端末が、前記第１種類の送信リソースプールに関する第１情報を送信するステップと、
前記第１ユーザ端末が、前記第１情報を受信するステップと、
前記第１ユーザ端末が、前記第１情報に基づいて、前記第１種類の送信リソースプールを使用して前記直接通信を行うか、前記第２種類の送信リソースプールを使用して前記直接通信を行うかを決定するステップと、を備える通信制御方法。
【請求項２】
前記第２種類の送信リソースプールは、セルラ通信用の時間・周波数リソースを含まないリソースプール、又は、セルラ通信用の時間・周波数リソースの使用量又は使用率が閾値を超えるまでセルラ通信用の時間・周波数リソースと共用されないリソースプールである、請求項１に記載の通信制御方法。
【請求項３】
第１ユーザ端末であって、制御部を備え、
前記制御部は、
直接通信に使用可能な第１種類の送信リソースプールと、前記直接通信に使用可能な第２種類の送信リソースプールとを示す情報を基地局から受信し、
前記第１種類の送信リソースプールに関する第１情報を、第２ユーザ端末から受信し、
前記第１情報に基づいて、前記第１種類の送信リソースプールを使用して前記直接通信を行うか、前記第２種類の送信リソースプールを使用して前記直接通信を行うかを決定するよう構成される第１ユーザ端末。
【請求項４】
第１ユーザ端末を制御するプロセッサであって、
前記プロセッサは、
直接通信に使用可能な第１種類の送信リソースプールと、前記直接通信に使用可能な第２種類の送信リソースプールとを示す情報を基地局から受信し、
前記第１種類の送信リソースプールに関する第１情報を、第２ユーザ端末から受信し、
前記第１情報に基づいて、前記第１種類の送信リソースプールを使用して前記直接通信を行うか、前記第２種類の送信リソースプールを使用して前記直接通信を行うかを決定するよう構成されるプロセッサ。
【発明の詳細な説明】
【技術分野】
【０００１】
本発明は、直接的な端末間通信であるＤ２Ｄ通信をサポートする移動通信システムにおいて用いられる通信制御方法、ユーザ端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。
【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するＤ２Ｄ発見手順（Ｄｉｓｃｏｖｅｒｙ）と、直接的な端末間通信であるＤ２Ｄ通信（Ｃｏｍｍｕｎｉｃａｔｉｏｎ）と、を含む。
【先行技術文献】
【非特許文献】
【０００４】
【非特許文献１】３ＧＰＰ技術報告書  「ＴＲ  ３６．８４３  Ｖ１２．０．１」  ２０１４年３月２７日
【発明の概要】
【０００５】
一実施形態に係る通信制御方法は、第１ユーザ端末が、直接通信に使用可能な第１種類の送信リソースプールと、前記直接通信に使用可能な第２種類の送信リソースプールとを示す情報を基地局から受信するステップと、第２ユーザ端末が、前記第１種類の送信リソースプールに関する第１情報を送信するステップと、前記第１ユーザ端末が、前記第１情報を受信するステップと、前記第１ユーザ端末が、前記第１情報に基づいて、前記第１種類の送信リソースプールを使用して前記直接通信を行うか、前記第２種類の送信リソースプールを使用して前記直接通信を行うかを決定するステップとを備える。
【図面の簡単な説明】
【０００６】
【図１】図１は、ＬＴＥシステムの構成図である。
【図２】図２は、ＵＥのブロック図である。
【図３】図３は、ｅＮＢのブロック図である。
【図４】図４は、プロトコルスタック図である。
【図５】図５は、無線フレームの構成図である。
【図６】図６は、第１実施形態に係るＣｏｍｍｕｎｉｃａｔｉｏｎリソースプールを説明するための図である。
【図７】図７は、第１及び第２実施形態に係るＤ２Ｄ同期信号の送信に用いられる無線リソースの配置を説明するための図である。
【図８】図８は、第１及び第２実施形態に係るＤ２Ｄ同期信号の送信に用いられる無線リソースの配置を説明するための図である。
【図９】図９は、第２実施形態に係るＣｏｍｍｕｎｉｃａｔｉｏｎリソースプールを説明するための図である。
【発明を実施するための形態】
【０００７】
［実施形態の概要］
実施形態に係る通信制御方法は、直接的な端末間通信であるＤ２Ｄ通信をサポートする方法である。前記通信制御方法は、セルカバレッジ内の第１ユーザ端末が、前記第１ユーザ端末がセル内に位置することを識別するための識別情報を他のユーザ端末に送信するステップを備える。
【０００８】
前記通信制御方法は、セルカバレッジ外の第２ユーザ端末が、前記識別情報を受信し、前記識別情報によって特定されたセルのセルカバレッジ内で前記Ｄ２Ｄ通信に使用されるセル内リソースプールが記憶されている場合、前記セル内リソースプールを使用して、Ｄ２Ｄデータを送信するステップをさらに備えてもよい。
【０００９】
前記Ｄ２Ｄデータを送信するステップにおいて、前記セル内リソースプールに含まれる特定のセル外リソースプールを使用して、Ｄ２Ｄデータを送信してもよい。
【００１０】
前記識別情報は、端末間同期を確立するＤ２Ｄ同期手順において送信される同期信号に含まれる識別子であってもよい。
【００１１】
前記同期信号は、セルカバレッジ外のユーザ端末の前記Ｄ２Ｄ通信の送信電力を制御するための電力制御情報を含んでもよい。
【００１２】
実施形態に係る通信制御方法は、直接的な端末間通信であるＤ２Ｄ通信をサポートする移動通信システムにおいて用いられる。前記通信制御方法は、セルカバレッジ内の第１ユーザ端末が、セルカバレッジ内で前記Ｄ２Ｄ通信に使用されるセル内リソースプールを指定するインデックスを送信するステップと、セルカバレッジ外の第２ユーザ端末が、前記インデックスを受信し、該受信したインデックスに対応するセル内リソースプールが記憶されている場合、前記インデックスによって指定されたセル内リソースプールを使用してＤ２Ｄデータを送信するステップと、を備える。
【００１３】
前記Ｄ２Ｄデータを送信するステップにおいて、前記第２ユーザ端末は、前記インデックスによって指定されたセル内リソースプールが記憶されていない場合、前記セル内リソースプールに含まれる特定のセル外リソースプールを使用してＤ２Ｄデータを送信してもよい。
【００１４】
前記通信制御方法は、前記第２ユーザ端末が、セルとセル内リソースプールとを対応付けて記憶するステップをさらに備えてもよい。前記インデックスを送信するステップにおいて、前記第１ユーザ端末は、前記インデックスと共に前記第１ユーザ端末が在圏するセルを識別するための識別情報を送信し、前記Ｄ２Ｄデータを送信するステップにおいて、前記第２ユーザ端末は、前記第１ユーザ端末からの前記識別情報によって示されるセルに対応付けられたセル内リソースプールが記憶されている場合に、前記インデックスによって指定されたセル内リソースプールを使用して前記Ｄ２Ｄデータを送信してもよい。
【００１５】
前記通信制御方法は、前記第２ユーザ端末が、前記第１ユーザ端末が在圏する前記セルのセルカバレッジ内に位置している場合に、前記セルからセル内リソースプールを受信するステップをさらに備えてもよい。前記記憶するステップにおいて、前記第２ユーザ端末は、前記セルと前記受信したセル内リソースプールとを対応付けて記憶してもよい。
【００１６】
前記セル内リソースプールは、時間・周波数方向において配置が異なる複数のリソースプールを含み、前記複数のリソースプールのそれぞれは、前記特定のセル外リソースプールを含んでもよい。
【００１７】
実施形態に係るユーザ端末は、直接的な端末間通信であるＤ２Ｄ通信をサポートする。前記ユーザ端末は、セルカバレッジ内に位置する場合において、セル内に位置することを識別するための識別情報を他のユーザ端末に送信する制御部を備える。
【００１８】
［第１実施形態］
以下において、本発明をＬＴＥシステムに適用する場合の第１実施形態を説明する。
【００１９】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２０】
ＵＥ１００は、ユーザ端末に相当する。ＵＥ１００は、移動型の通信装置であり、接続先のセル（サービングセル）との無線通信を行う。ＵＥ１００の構成については後述する。
【００２１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２２】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２３】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２４】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００２５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２７】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００２８】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を、制御部を構成するプロセッサ２４０’としてもよい。
【００２９】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３２】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３４】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００３５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３６】
ＰＤＣＰ層は、ヘッダ圧縮・伸張、及び暗号化・復号化を行う。
【００３７】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３９】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４１】
（Ｄ２Ｄ近傍サービス）
以下において、Ｄ２Ｄ近傍サービスについて説明する。実施形態に係るＬＴＥシステムは、Ｄ２Ｄ近傍サービスをサポートする。Ｄ２Ｄ近傍サービスについては非特許文献１に記載されているが、ここではその概要を説明する。
【００４２】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【００４３】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００４４】
カバレッジ内では、例えばｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソースを示すＤ２Ｄリソース情報を、ブロードキャスト信号により送信する。Ｄ２Ｄリソース情報は、例えば、Ｄ２Ｄ発見手順に使用可能な無線リソースを示す情報（Ｄｉｓｃｏｖｅｒｙリソース情報）及びＤ２Ｄ通信に使用可能な無線リソースを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、Ｄ２Ｄ発見手順及びＤ２Ｄ通信を行う。Ｃｏｍｍｕｎｉｃａｔｉｏｎリソース情報は、データの送受信に使用可能な無線リソースを示す情報（データリソース情報）だけでなく、スケジューリング割当（ＳＡ：Ｓｃｈｅｄｕｌｉｎｇ  Ａｓｓｉｇｎｍｅｎｔ）の送受信に使用可能な無線リソースを示す情報（ＳＡリソース情報）を含んでもよい。ＳＡは、Ｄ２Ｄ通信におけるデータの受信のための時間・周波数リソースの位置を示す情報である。
【００４５】
カバレッジ外又は部分的カバレッジでは、例えばＵＥ１００がＤ２Ｄ同期元となる。カバレッジ外では、Ｄ２Ｄ同期元であるＵＥ１００は、Ｄ２Ｄ近傍サービスに使用可能な無線リソースを示すＤ２Ｄリソース情報を、例えばＤ２Ｄ同期信号により送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。
【００４６】
Ｄ２Ｄ同期信号は、Ｄ２Ｄ同期信号の送信タイミング基準がｅＮＢ２００であるＵＥ１００によって送信される第１のＤ２Ｄ同期信号（Ｄ２ＤＳＳｕｅ＿ｎｅｔ）と、Ｄ２Ｄ同期信号の送信タイミング基準がｅＮＢ２００でないＵＥ１００によって送信される第２のＤ２Ｄ同期信号（Ｄ２ＤＳＳｕｅ＿ｏｏｎ）とがある。
【００４７】
Ｄ２Ｄ発見手順では、近傍端末を発見するための発見信号（以下、Ｄｉｓｃｏｖｅｒｙ信号）が送信される。Ｄ２Ｄ発見手順の方式として、ＵＥ１００に固有に割り当てられない無線リソースがＤｉｓｃｏｖｅｒｙ信号の送信に使用される第１の発見方式（Ｔｙｐｅ  １  ｄｉｓｃｏｖｅｒｙ）と、ＵＥ１００毎に固有に割り当てられる無線リソースがＤｉｓｃｏｖｅｒｙ信号の送信に使用される第２の発見方式（Ｔｙｐｅ  ２  ｄｉｓｃｏｖｅｒｙ）とがある。第２の発見方式では、Ｄｉｓｃｏｖｅｒｙ信号の送信毎に個別に割り当てられた無線リソース、又は、半固定的（ｓｅｍｉ−ｐｅｒｓｉｓｔｅｎｔｌｙ）に割り当てられた無線リソースが使用される。
【００４８】
また、Ｄ２Ｄ通信（Ｄ２Ｄ  Ｃｏｍｍｕｎｉｃａｔｉｏｎ）のモードとして、ｅＮＢ２００又はリレーノードがＤ２Ｄデータ（Ｄ２Ｄデータ及び／又は制御データ）を送信するための無線リソースを割り当てる第１のモード（Ｍｏｄｅ  １）と、ＵＥ１００自身が、Ｄ２Ｄデータを送信するための無線リソースをリソースプールから選択する第２のモード（Ｍｏｄｅ  ２）と、がある。ＵＥ１００は、いずれかのモードでＤ２Ｄ通信を行う。例えば、ＲＲＣコネクティッド状態のＵＥ１００は、第１のモードでＤ２Ｄ通信を行い、カバレッジ外のＵＥ１００は、第２のモードでＤ２Ｄ通信を行う。
【００４９】
（Ｃｏｍｍｕｎｉｃａｔｉｏｎリソースプール）
次に、Ｃｏｍｍｕｎｉｃａｔｉｏｎリソースプールについて、図６を用いて説明する。図６は、第１実施形態に係るＣｏｍｍｕｎｉｃａｔｉｏｎリソースプールを説明するための図である。
【００５０】
Ｃｏｍｍｕｎｉｃａｔｉｏｎリソースプールは、ＳＡの送受信に使用可能な無線リソースのプールであるＳＡリソースプールと、Ｄ２Ｄ通信のデータの送受信に使用可能な無線リソースのプールであるデータリソースプールとからなる。
【００５１】
ＵＥ１００は、時間方向に周期的に配置されるデータリソースプール（データ領域：Ｄａｔａ  Ｒｅｇｉｏｎ）内の時間・周波数リソースの中から、データの送信に用いる無線リソースを選択する。例えば、ＵＥ１００は、時間方向において同一データを送信するタイミングをランダムに設定していた場合、図６に示すように、データ領域の前半の時間・周波数リソースの中から、４つのサブフレームをランダムに選択し、データ領域の後半の時間・周波数リソースの中から、４つのサブフレームをランダムに選択する。ＵＥ１００は、選択した８つのサブフレームを用いて、データを送信する。或いは、ＵＥ１００は、データ領域の前半の時間・周波数リソースの中から選択した４つのサブフレームを用いて、データを繰り返し送信し、データ領域の前半の時間・周波数リソースの中から選択した４つのサブフレームを用いて、別のデータを繰り返し送信してもよい。
【００５２】
ＵＥ１００は、時間方向に周期的に配置されるＳＡリソースプール（ＳＡ領域：ＳＡ  Ｒｅｇｉｏｎ）内の時間・周波数リソースの中から、Ｄ２Ｄ通信によって送信されるデータ（用の時間・周波数リソース）の位置を示すＳＡ（Ｓｃｈｅｄｕｌｉｎｇ  Ａｓｓｉｇｎｍｅｎｔ）を送信するための時間・周波数リソースを選択する。
【００５３】
図６では、ＳＡの周波数位置とデータ用の時間・周波数リソースの周波数位置は同じであるため、ＳＡを受信したＵＥは、ＳＡの周波数位置によって、データの周波数位置を認識できる。２つのＳＡの内、前半のＳＡがデータ領域の前半のデータの位置を示し、後半のＳＡがデータ領域の後半のデータの位置を示してもよい。
【００５４】
なお、図６では、ＳＡの周波数位置とデータ用の時間・周波数リソースの周波数位置は同じであるが、データ用の時間・周波数リソースの周波数位置はランダムであってもよい。この場合、ＳＡにデータ用の時間・周波数リソースの周波数位置を示す情報が含まれていてもよい。或いは、ＳＡの周波数位置に応じてデータ用の時間・周波数リソースの周波数位置がランダムになるように、ＳＡの周波数位置にデータ用の時間・周波数リソースの周波数位置が関連付けられていてもよい。
【００５５】
本実施形態において、セル内リソースプールは、（特定の）セル外リソースプールを含む。例えば、セル内リソースプールがＤ２Ｄ周波数ＩＤ  ０〜６の時間・周波数リソースである場合、セル外リソースプールは、セル内リソースプールの一部であるＤ２Ｄ周波数ＩＤ  ５〜６の時間・周波数リソースである。
【００５６】
（Ｄ２Ｄ同期信号）
次に、Ｄ２Ｄ同期信号について、図７を用いて説明する。図７は、本実施形態に係るＤ２Ｄ同期信号の送信に用いられる無線リソースの配置を説明するための図である。
【００５７】
図７に示すように、Ｄ２Ｄ同期リソースプールには、Ｄ２Ｄ同期信号を送信するためのＤ２Ｄ同期リソースが割り当てられる。Ｄ２Ｄ同期元であるＵＥ１００は、Ｄ２Ｄ同期信号を送信するための設定を行う。Ｄ２Ｄ同期信号を送信するための設定として、時間方向におけるＤ２Ｄ同期リソースの位置が異なる（具体的には、重複しない）少なくとも２種類の設定（２つの候補）がある。第１の発見方式では、Ｄ２Ｄ同期元であるＵＥ１００が、いずれかの設定を選択する。Ｄ２Ｄ同期信号どうしの干渉を抑制するために、ＵＥ１００は、いずれかの設定をランダムに選択してもよいし、他のＤ２Ｄ同期元のＵＥから受信したＤ２Ｄ同期信号に基づいて、他のＤ２Ｄ同期元のＵＥが設定していない設定を選択してもよい。各設定によって、用いられるＤ２Ｄ同期リソースの時間位置が異なる。第１の発見方式では、ＵＥ１００は、ＳＩＢ或いは専用のＲＲＣシグナリングによって、Ｄ２Ｄ同期信号を送信するための（事前）設定がなされる。一方、第２の発見方式では、Ｄ２Ｄ同期元であるＵＥ１００は、ｅＮＢ２００からの指示によって、いずれかの設定を選択する。
【００５８】
なお、Ｄ２Ｄ同期リソースプールは、時間方向においてＳＡリソースプールの先頭のサブフレームに設けられる。
【００５９】
一方、Ｄ２Ｄ非同期元であり、セルカバレッジ外のＵＥ１００は、例えば、時間方向において前方のＤ２Ｄ同期信号（Ｄ２ＤＳＳ  ｃｏｎｆｉｇ．０）を受信し、受信したＤ２Ｄ同期信号の受信レベルが閾値未満である場合、時間方向において後方のＤ２Ｄ同期信号に基づいて、同期してもよい。
【００６０】
上述したように、Ｄ２Ｄ同期信号は、Ｄ２ＤＳＳ及びＰＤ２ＤＳＣＨを含む。Ｄ２ＤＳＳは、時間・周波数の同期基準を提供する信号である。加えて、Ｄ２ＤＳＳは、ＰＤ２ＤＳＣＨを復調するために用いられる。Ｄ２ＤＳＳの時間方向における幅は、例えば、２シンボルである。
【００６１】
Ｄ２ＤＳＳは、ＰＤ２ＤＳＳ及びＳＤ２ＤＳＳを含む。ＰＤ２ＤＳＳは、Ｄ２Ｄ通信におけるプライマリ同期信号である。ＳＤ２ＤＳＳは、Ｄ２Ｄ通信におけるセカンダリ同期信号である。ＰＤ２ＤＳＳ及びＳＤ２ＤＳＳの時間方向における幅は、例えば、１又は２シンボルである。時間方向において、ＰＤ２ＤＳＳ、ＳＤ２ＤＳＳの順に配置される。
【００６２】
ＰＤ２ＤＳＣＨは、時間方向において、Ｄ２ＤＳＳの次に配置される。ＰＤ２ＤＳＨＣの時間方向における幅は、例えば、４シンボルである。また、本実施形態において、ＰＤ２ＤＳＣＨは、以下に示す情報を含むことができる。
【００６３】
【表１】
2018152888.tif 000003
【００６４】
ＰＤ２ＤＳＳは、このＤ２Ｄ同期信号がｅＮＢ２００に由来するか否かを示す情報を含むことができる。当該情報は、１ビットで示すことができる。
【００６５】
また、ＰＤ２ＤＳＣＨは、Ｄ２ＤＳＳ及びＰＤ２ＤＳＣＨの位置を示す情報（パラメータ）を含むことができる。具体的には、ＰＤ２ＤＳＣＨは、Ｄ２Ｄ  ＳＦＮ及びスロットナンバー（slot  ｎｕｍｂｅｒ）を示す情報を含むことができる。当該情報は、１５ビットで示すことができる。
【００６６】
また、ＰＤ２ＤＳＣＨは、Ｄ２Ｄ通信の送信電力を制御するための情報を含むことができる。当該情報は、最大送信電力の使用を示す情報であってもよいし、事前設定された値の使用を示す情報であってもよい。当該情報は、セルカバレッジ内のＵＥが、ｅＮＢ２００に由来するＤ２Ｄ同期信号（第１のＤ２Ｄ同期信号）を送信する場合にのみ、有効であってもよい。当該情報は、１ビットで示すことができる。
【００６７】
なお、当該情報は、Ｄ２Ｄ通信の送信電力だけでなく、Ｄｉｓｃｏｖｅｒｙ信号の送信電力に適用されてもよい。
【００６８】
また、ＰＤ２ＤＳＣＨは、Ｄ２Ｄ同期信号に含まれる情報が他のＵＥ１００から転送されている場合、ホップ数を示す情報を含んでもよい。本実施形態では、当該情報を含まない。
【００６９】
なお、ＰＤ２ＤＳＣＨは、バンド幅（Ｂａｎｄｗｉｄｔｈ）を示す情報を含んでもよい。当該情報は、３ビットで示されてもよい。
【００７０】
なお、本実施形態において、表１に示すように、ＰＤ２ＤＳＣＨは、Ｄ２Ｄリソース情報を運搬しない。従って、Ｄ２Ｄ同期信号は、Ｃｏｍｍｕｎｉｃａｔｉｏｎリソースプールの情報を含まない。
【００７１】
（第１実施形態に係る動作）
次に、実施形態に係る動作について、図８を用いて説明する。図８は、実施形態に係る動作を説明するための説明図である。
【００７２】
図８に示すように、ＵＥ１００−１は、セル２５０のセルカバレッジ内に位置し、セル２５０においてＲＲＣコネクティッド状態である。或いは、ＵＥ１００−２は、ＲＲＣアイドル状態であってもよい。ＵＥ１００−２は、ｅＮＢ２００が管理するセル２５０のセルカバレッジ外に位置し、セル２５０においてＲＲＣアイドル状態である。
【００７３】
本実施形態において、ｅＮＢ２００は、セル２５０のセルカバレッジ内で使用可能なＣｏｍｍｕｎｉｃａｔｉｏｎリソースプール（以下、セル内リソースプール）を設定する。ｅＮＢ２００（セル２５０）は、少なくともセル２５０のセル端付近且つセルカバレッジ内のＵＥに対して、セル内リソースプールの情報を含む設定情報を送信する。設定情報を受信したＵＥは、セル内リソースプールを記憶する。さらに、当該ＵＥは、セル内リソースプールの送信元であるセル２５０を示すセル識別子と、セル内リソースプールとを対応付けて記憶する。
【００７４】
また、当該ＵＥは、セル内リソースプールの中から送信リソースプールを指定する情報（Ｄ２Ｄ周波数ＩＤ）をｅＮＢ２００から受信する。ＵＥは、指定されたセル内リソースプール内の時間・周波数リソースを使用してＤ２Ｄ通信を行うことができる。なお、セル内リソースプールは、ＳＡリソースプール及びデータリソースプールを含む。
【００７５】
また、ｅＮＢ２００は、セル２５０のセルカバレッジ外で使用可能なＣｏｍｍｕｎｉｃａｔｉｏｎリソースプール（以下、セル外リソースプール）を設定する。ｅＮＢ２００は、セル２５０のセルカバレッジ内のＵＥに対して、セル外リソースプールの情報を含む設定情報を送信する。設定情報を受信したＵＥは、セル外リソースプールを記憶する。なお、セル外リソースプールは、第２モードでのＤ２Ｄ通信に使用される事前設定されたリソースプールである。
【００７６】
設定情報を受信したＵＥは、第２モードでのＤ２Ｄ通信を行う場合、例えば、セルカバレッジ外に移動した場合に、セル外リソースプールを選択する。当該ＵＥは、選択したセル外のリソースプールを送信リソースプールとして使用してＤ２Ｄ通信を行うことができる。或いは、セル内リソースプールのうち、他のＵＥから指定されたデータリソースプールを受信リソースプールとして使用してＤ２Ｄ通信を行う。なお、セル内リソースプールと同様に、セル外リソースプールは、ＳＡリソースプール及びデータリソースプールを含む。
【００７７】
ここで、セル外リソースプールは、特定のＣｏｍｍｕｎｉｃａｔｉｏｎリソースプール（以下、特定リソースプール）を含む。特定リソースプールは、セルラ通信用の時間・周波数リソースを含まないリソースプールである。すなわち、特定リソースプールは、Ｄ２Ｄ通信専用のリソースプールである。或いは、特定リソースプールは、セルラ通信用の時間・周波数リソースの使用量又は使用率が閾値を超えるまで、セルラ通信用の時間・周波数リソースと共用されないリソースプールであってもよい。このように、特定リソースプール内の時間・周波数リソースは、セルラ通信のための割り当てが制限されている。なお、特定リソースプールは、セル外リソースプールと等しくてもよい。
【００７８】
このような動作環境において、以下の動作が行われる。
【００７９】
第１に、ｅＮＢ２００は、セル２５０のセル端付近且つセルカバレッジ内に位置するＵＥ１００−１をＤ２Ｄ同期元に設定する。ｅＮＢ２００は、ＵＥ１００−１をＤ２Ｄ同期元に設定するための設定情報をＵＥ１００−１に送信する。
【００８０】
また、ＵＥ１００−１は、特定リソースプールを受信リソースプールとして設定する。セル内リソースプールが、特定リソースプールを含む場合、ＵＥ１００−１は、セル内リソースプールを受信リソースプールとして設定する。ＵＥ１００−１は、ｅＮＢ２００からの設定情報に基づいて、受信リソースプールを設定できる。
【００８１】
第２に、設定情報を受信したＵＥ１００−１は、Ｄ２Ｄ同期元になるための設定を行い、Ｄ２Ｄ同期信号の送信を開始する。
【００８２】
Ｄ２Ｄ同期信号は、当該Ｄ２Ｄ同期信号を送信するＵＥがセル内に位置することを識別するための識別情報を含む。識別情報は、セル識別子（セルＩＤ）であってもよいし、Ｄ２Ｄ同期信号の識別子であってもよい。Ｄ２Ｄ同期信号の識別子は、セル識別子に基づいて生成された識別子であり、Ｄ２Ｄ同期信号の識別子からセル識別子を導出することが可能である。
【００８３】
また、Ｄ２Ｄ同期信号は、セルカバレッジ外のＵＥの送信電力を制御するための情報を含んでもよい。
【００８４】
第３に、Ｄ２Ｄ同期信号を受信したＵＥ１００−２は、セル識別子によって示されるセルに対応するセル内リソースプールが記憶されているか否かを判定する。ＵＥ１００−２は、対応するセル内リソースプールが記憶されている場合、対応するセル内リソースプールを使用してＤ２Ｄ通信を開始する制御を開始する。具体的には、ＵＥ１００−２は、セル内リソースプールを送信リソースプール及び受信リソースプールとして設定する。従って、ＵＥ１００−２は、事前設定されたセル外リソースプールではなく、セル内リソースプールを送信リソースプール及び受信リソースプールとして設定する。
【００８５】
一方、ＵＥ１００−２は、セル識別子によって示されるセルに対応するセル内リソースプールが記憶されていない場合、ＵＥ１００−２は、特定リソースプールを送信リソースプール及び受信リソースプールとして設定する。ＵＥ１００−２は、特定リソースプールがセル外リソースプールと等しい（すなわち、特定リソースプールがセル外リソースプールの一部でない）場合、セル外リソースプールを送信リソースプール及び受信リソースプールとして設定する。ＵＥ１００−１が特定リソースプールを受信リソースプールとして設定しているため、ＵＥ１００−２が、セル内リソースプールが分からない場合であっても、当該Ｄ２Ｄ通信が、セルラ通信を行っているユーザ端末に対して、干渉を与えることを抑制できる。さらに、Ｄ２Ｄ同期信号は、セル内リソースプールの情報を含まず、ＵＥ１００−１は、セル内リソースプールを通知していないため、シグナリングの情報量を削減することができる。
【００８６】
なお、ＵＥ１００−２は、過去にセル２５０に在圏していた場合（セル２５０のセルカバレッジ内に位置していた場合）、ｅＮＢ２００（セル２５０）からセル内リソースプールを受信し、受信したセル内リソースプールを送信元のセル２５０と対応付けて記憶する。或いは、ＵＥ１００−２は、複数のセル内リソースプールと複数のセルとが対応付けられた対応リストをｅＮＢ２００（セル２５０）から受信して、当該対応リストを記憶してもよい。
【００８７】
その後、ＵＥ１００−２は、設定された送信リソースプールを使用して、ＳＡ及びデータを送信する。一方、ＵＥ１００−１は、受信リソースプールを使用して、ＳＡ及びデータを受信する。
【００８８】
ＵＥ１００−２は、セルカバレッジ外のＵＥの送信電力を制御するための情報を受信した場合、当該情報に従って、Ｄ２Ｄ通信を行う。これにより、ＵＥ１００−２が、セルラＵＥへ与える干渉を抑制できる。
【００８９】
以上の通り、ＵＥ１００−２は、セル識別子によって示されるセルに対応するセル内リソースプールが記憶されている場合、対応するセル内リソースプールを使用してデータを送信する。ＵＥ１００−２は、セル識別子によって示されるセルに対応するセル内リソースプールが記憶されていない場合、ＵＥ１００−２は、特定リソースプールを使用してデータを送信する。これによって、セル内リソースプールの通知が省略可能となり、その結果、ＵＥ１００−１からＵＥ１００−２への情報量を削減できる。さらに、ＵＥ１００−２が、セルラＵＥへ与える干渉を抑制できる。
【００９０】
［第２実施形態］
次に、第２実施形態について説明する。第１実施形態と同様の部分は、説明を適宜省略する。
【００９１】
（Ｃｏｍｍｕｎｉｃａｔｉｏｎリソースプール）
Ｃｏｍｍｕｎｉｃａｔｉｏｎリソースプールについて、図９を用いて説明する。図９は、第２実施形態に係るＣｏｍｍｕｎｉｃａｔｉｏｎリソースプールを説明するための図である。
【００９２】
Ｃｏｍｍｕｎｉｃａｔｉｏｎリソースプールは、ＳＡの送受信に使用可能な無線リソースのプールであるＳＡリソースプールと、Ｄ２Ｄ通信のデータの送受信に使用可能な無線リソースのプールであるデータリソースプールとからなる。
【００９３】
本実施形態において、１つのＳＡリソースプールと当該ＳＡリソースプールによって位置が示されるデータリソースプールとのセットを１つのＣｏｍｍｕｎｉｃａｔｉｏｎリソースプールと仮定すると、時間・周波数方向における配置が異なる複数のＣｏｍｍｕｎｉｃａｔｉｏｎリソースプールが設けられる。従って、時間・周波数方向における配置が異なる複数のＳＡリソースプールと、時間・周波数方向における配置が異なる複数のデータリソースプールとが設けられる。
【００９４】
以下において、複数のＣｏｍｍｕｎｉｃａｔｉｏｎリソースプールが設けられたケースについて、図９を用いて説明する。ここでのデータリソースプールは、第２のモードで使用されると仮定する。第１のＳＡリソースプール（以下、ＳＡプールＡ）は、データリソースプール（以下、データプールＡ）の位置を示し、第２のＳＡリソースプール（以下、ＳＡプールＢ）は、第２のデータリソースプール（以下、データプールＢ）の位置を示す。
【００９５】
図９に示すように、時間方向において、ＳＡプールＡの先頭とＳＡプールＢの先頭とは一致する。従って、基準値からのオフセット値がＳＡプールＡ及びＳＡプールＢのそれぞれで同じである。また、ＳＡプールＡとＳＡプールＢとのそれぞれの時間方向における周期（ＳＡ  ｐｅｒｉｏｄ）は、同じである。一方、時間方向において、データプールＡの先頭とデータプールＢの先頭はずれている。従って、基準値からのオフセット値がデータプールＡ及びデータプールＢのそれぞれで異なる。データプールＡとデータプールＢとのそれぞれの時間方向における周期（ｍｏｄｅ  ２  Ｄａｔａ  ｐｅｒｉｏｄ）は、同じである。ここで、時間方向において、ＳＡプールＡとデータプールＢとが重複する。この場合、ＳＡプールＡが優先されることが好ましい。
【００９６】
なお、Ｄ２Ｄ通信のモードが第１のモードである場合、ｅＮＢ２００は、複数のＳＡリソースプールの中から所定のＵＥ１００が使用するＳＡリソースプールを選択し、例えば、ＰＤＣＣＨを介して選択したＳＡリソースプールの情報を含む設定情報を所定のＵＥ１００に送信する。ＵＥ１００は、設定情報に基づいて、Ｄ２Ｄ通信に使用するＳＡリソースプール及びＳＡリソースによって示されるデータリソースプールを設定する。一方、Ｄ２Ｄ通信のモードが第２のモードである場合、ＵＥ１００は、複数のＳＡリソースプールの中からＳＡリソースプールを選択し、複数のデータリソースプールの中からデータリソースプールを選択する。ＵＥ１００は、選択したＳＡリソースプール及び選択したデータリソースプールを使用してＤ２Ｄ通信を行う。
【００９７】
（Ｄ２Ｄ同期信号）
【００９８】
【表２】
2018152888.tif 000004
【００９９】
表２に示すように、ＰＤ２ＤＳＣＨは、Ｄ２Ｄリソース情報を運搬できる。具体的には、ＰＤ２ＤＳＳは、第２のモードで使用される送信リソースプールを示す情報を含む。当該情報は、ＳＡの送信に使用されるＳＡリソースを示すインデックスと、データの送信に使用されるデータリソースを示すインデックスとからなる。各インデックスの情報は、例えば、３ビットで示すことができる。
【０１００】
（第２実施形態に係る動作）
次に、第２実施形態に係る動作について、図８を用いて説明する。
【０１０１】
本実施形態において、ｅＮＢ２００は、セル２５０のセルカバレッジ内で使用可能な複数のＣｏｍｍｕｎｉｃａｔｉｏｎリソースプール（以下、複数のセル内リソースプール）を設定する。ｅＮＢ２００（セル２５０）は、少なくともセル２５０のセル端付近且つセルカバレッジ内のＵＥに対して、複数のセル内リソースプールの情報を含む設定情報を送信する。複数のセル内リソースプールのそれぞれは、複数のインデックスのそれぞれと対応付けられている。設定情報を受信したＵＥは、複数のセル内リソースプールのそれぞれと、対応するインデックスとを記憶する。さらに、当該ＵＥは、複数のセル内リソースプールの送信元であるセル２５０を示すセル識別子と、複数のセル内リソースプールとを対応付けて記憶する。
【０１０２】
また、当該ＵＥは、複数のセル内リソースプールの中から送信リソースプールを指定する情報（インデックス（及びＤ２Ｄ周波数ＩＤ））をｅＮＢ２００から受信する。ＵＥは、指定されたセル内リソースプールの時間・周波数リソースを使用してＤ２Ｄ通信を行うことができる。なお、セル内リソースプールは、ＳＡリソースプール及びデータリソースプールを含む。従って、複数のＳＡリソースプールのそれぞれは、複数のインデックスのそれぞれと対応付けられている。データリソースプールも同様である。
【０１０３】
また、ｅＮＢ２００は、セル２５０のセルカバレッジ外で使用可能な複数のＣｏｍｍｕｎｉｃａｔｉｏｎリソースプール（以下、複数のセル外リソースプール）を設定する。ｅＮＢ２００は、セル２５０のセルカバレッジ内のＵＥに対して、複数のセル外リソースプールの情報を含む設定情報を送信する。複数のセル外リソースプールのそれぞれは、複数のインデックスのそれぞれと対応付けられている。設定情報を受信したＵＥは、複数のセル外リソースプールのそれぞれと、対応するインデックスとを記憶する。なお、複数のセル外リソースプールは、第２モードでのＤ２Ｄ通信に使用される事前設定されたリソースプールである。
【０１０４】
設定情報を受信したＵＥは、第２モードでのＤ２Ｄ通信を行う場合、例えば、セルカバレッジ外に移動した場合に、複数のセル外リソースプールのうち、少なくともいずれかのセル外リソースプールを選択する。当該ＵＥは、選択したセル外リソースプールを送信リソースプールとして使用してＤ２Ｄ通信を行うことができる。或いは、他のＵＥからインデックスによって指定されたデータリソースプールを受信リソースプールとして使用してＤ２Ｄ通信を行う。なお、セル内リソースプールと同様に、セル外リソースプールは、ＳＡリソースプール及びデータリソースプールを含む。
【０１０５】
ここで、複数のセル外リソースプールは、特定のＣｏｍｍｕｎｉｃａｔｉｏｎリソースプール（以下、特定リソースプール）を含む。１つのセル外リソースプールが特定リソースプールであってもよいし、２以上のセル外リソースプールが特定リソースプールであってもよい。
【０１０６】
このような動作環境において、以下の動作が行われる。
【０１０７】
第１に、ｅＮＢ２００は、セル２５０のセル端付近且つセルカバレッジ内に位置するＵＥ１００−１をＤ２Ｄ同期元に設定する。ｅＮＢ２００は、ＵＥ１００−１をＤ２Ｄ同期元に設定するための設定情報をＵＥ１００−１に送信する。また、ｅＮＢ２００は、複数のセル内リソースプールの中から送信リソースプールを指定する情報（インデックス）を送信する。当該情報は、設定情報に含まれていてもよい。インデックスは、「Ｎ」を示すと仮定して説明を進める。当該インデックスは、複数のセル内リソースプールの中からＮに対応するセル内リソースプール（以下、セル内リソースプールＮ）を指定する。
【０１０８】
なお、インデックスは、第２のモードでＳＡの送信に使用されるセル内リソースプールを示すインデックス、及び、第２のモードでデータの送信に使用されるセル内リソースプールを示すインデックスであるが、以下において、両方のインデックスを纏めて「インデックス」として説明する。なお、第２のモードでＳＡの送信に使用されるセル内リソースプールと第２のモードでデータの送信に使用されるセル内リソースプールとは異なるリソースプールである。
【０１０９】
また、ＵＥ１００−１は、複数のセル内のリソースプールの中から、ｅＮＢ２００から指定された送信リソースプールに対応するセル内のリソースプールを受信リソースプールとして設定する。すなわち、ＵＥ１００−１は、インデックスによって指定されたセル内リソースプールＮを受信リソースプールとして設定する。
【０１１０】
さらに、ＵＥ１００−１は、セル内リソースプールＮに加えて、特定リソースプールを受信リソースプールとして設定する。ここで、特定リソースプールは、複数のセル内リソースプールとは別に設けられて、ｅＮＢ２００から特定リソースプールの通知を受けてもよい。或いは、複数のセル内リソースプールのそれぞれが、特定リソースプールを含むように、ｅＮＢ２００が複数のセル内リソースプールを設定してもよい。この場合、ＵＥ１００−１が、セル内リソースプールＮを受信リソースプールとして設定することで、自動的に特定リソースプールが受信リソースプールとして設定される。
【０１１１】
第２に、設定情報を受信したＵＥ１００−１は、Ｄ２Ｄ同期元になるための設定を行い、Ｄ２Ｄ同期信号の送信を開始する。ここで、Ｄ２Ｄ同期信号は、セル内リソースプールを指定するインデックスを含む。当該インデックスは、ＰＤ２ＤＳＣＨに含まれ、ｅＮＢ２００が指定したセル内リソースプールＮを示す。
【０１１２】
Ｄ２Ｄ同期信号は、当該Ｄ２Ｄ同期信号を送信するＵＥが在圏するセルを識別するための識別情報を含む。Ｄ２Ｄ同期信号は、セルカバレッジ外のＵＥの送信電力を制御するための情報を含んでもよい。
【０１１３】
第３に、Ｄ２Ｄ同期信号を受信したＵＥ１００−２は、Ｄ２Ｄ同期信号に含まれるインデックスに対応するセル内リソースプールＮが記憶されているか否かを判定する。ＵＥ１００−２は、セル内リソースプールＮが記憶されている場合、セル内リソースプールＮを使用してＤ２Ｄ通信を開始する制御を開始する。具体的には、ＵＥ１００−２は、複数のセル内リソースプールの中からセル内リソースプールＮを選択し、セル内リソースプールＮを送信リソースプール及び受信リソースプールとして設定する。
【０１１４】
一方、ＵＥ１００−２は、インデックスに対応するセル内リソースプールＮが記憶されていない場合、ＵＥ１００−２は、特定リソースプールを送信リソースプール及び受信リソースプールとして設定する。ＵＥ１００−２は、特定リソースプールがセル外リソースプールと等しい（すなわち、特定リソースプールがセル外リソースプールの一部でない）場合、セル外リソースプールを送信リソースプール及び受信リソースプールとして設定する。ＵＥ１００−１が特定リソースプールを受信リソースプールとして設定しているため、ＵＥ１００−２が、インデックスによって示されるリソースプールが分からない場合であっても、Ｄ２Ｄ通信を行うことができる。また、特定リソースプール内の無線リソースは、セルラ通信のための割り当てが制限されているため、当該Ｄ２Ｄ通信が、セルラ通信を行っているユーザ端末に対して、干渉を与えることを抑制できる。さらに、送信リソースプールを識別するために、インデックスが使用されているため、シグナリングの情報量を削減することができる。
【０１１５】
或いは、ＵＥ１００−２は、セルを識別する情報によって示されるセル２５０に対応付けられているセル内リソースプールが記憶されているか否かを判定してもよい。すなわち、ＵＥ１００−２は、セル内リソースプールＮが、セル２５０に対応付けられているか否かを判定してもよい。ＵＥ１００−２は、セル内リソースプールＮがセル２５０に対応付けられている場合、セル内リソースプールＮを使用してＤ２Ｄ通信を開始する制御を開始する。
【０１１６】
一方、ＵＥ１００−２は、セル内リソースプールＮがセル２５０に対応付けられていない、すなわち、セル内リソースプールＮが他のセルに対応付けられている場合、インデックスに対応するセル内リソースプールが記憶されている場合であっても、特定リソースプールを送信リソースプール及び受信リソースプールとして設定する。これにより、セル間でセル内リソースプールに対応付けられるインデックスの値が異なる場合であっても、Ｄ２Ｄ通信が、セルラ通信を行っているユーザ端末に対して、干渉を与えることを適切に抑制できる。
【０１１７】
なお、ＵＥ１００−２は、過去にセル２５０に在圏していた場合（セル２５０のセルカバレッジ内に位置していた場合）、ｅＮＢ２００（セル２５０）から複数のセル内リソースプールを受信し、受信した複数のセル内リソースプールを送信元のセル２５０と対応付けて記憶する。或いは、ＵＥ１００−２は、複数のセル内リソースプールと複数のセルとが対応付けられた対応リストをｅＮＢ２００（セル２５０）から受信して、当該対応リストを記憶してもよい。
【０１１８】
その後、ＵＥ１００−２は、設定された送信リソースプールを使用して、ＳＡ及びデータを送信する。一方、ＵＥ１００−１は、受信リソースプールを使用して、ＳＡ及びデータを受信する。
【０１１９】
以上の通り、ＵＥ１００−２は、インデックスに対応するセル内リソースプールが記憶されている場合、対応するセル内リソースプールを使用してデータを送信する。ＵＥ１００−２は、インデックスに対応するセル内リソースプールが記憶されていない場合、特定リソースプールを使用してデータを送信する。これによって、セル内リソースプールを通知するための情報を削減できる。その結果、ＵＥ１００−１からＵＥ１００−２への情報量を削減できる。さらに、ＵＥ１００−２が、セルラＵＥへ与える干渉を抑制できる。
【０１２０】
［その他の実施形態］
上述した第１実施形態において、識別情報は、セル識別子、セル識別子に基づいて生成されたＤ２Ｄ同期信号を例示していたが、これに限られない。識別情報は、ＵＥ１００−１がセル内に位置することを示す情報であればよく、例えば、セル内に位置するか否かを示すフラグ情報であってもよい。セル間でセル内リソースプールの設定情報が共通である場合、ＵＥ１００−２は、当該フラグ情報を受信すれば、セル識別子を受信しなくても、セルラＵＥへ与える干渉を抑制できる。
【０１２１】
上述した第２実施形態において、ｅＮＢ２００が、複数のセル内リソースプール及び複数のセル外リソースプールを設定していたがこれに限られない。１つのセル内リソースプール及び１つのセル外リソースプールを設定してもよい。また、ｅＮＢ２００でなく、ｅＮＢ２００の上位装置（例えば、ＭＭＥ）がこれらのリソースプールを設定してもよい。
【０１２２】
また、上述した第２実施形態では、インデックスは、第２のモードでＳＡの送信に使用されるセル内リソースプールを示すインデックス（以下、ＳＡインデックス）、及び、第２のモードでデータの送信に使用されるセル内リソースプールを示すインデックス（以下、データインデックス）であったが、これに限られない。例えば、ＳＡが、第２のモードでデータの送信に使用されるリソースプールを示す情報を含む場合、上述のインデックスは、ＳＡインデックスのみであってもよい。
【０１２３】
また、上述した各実施形態では、セル内リソースプールが特定リソースプール（及びセル外リソースプール）を含むケースを中心に説明してきたが、これに限られない。セル内リソースプールが特定リソースプール（及びセル外リソースプール）を含まなくてもよい。
【０１２４】
例えば、ＵＥ１００−２は、特定リソースプールを使用することを示すフラグ情報を送信する。フラグ情報は、例えば、ＳＡに含まれる。フラグ情報を受信したＵＥ１００−１は、特定リソースプールを受信リソースプールとして設定する。ＵＥ１００−２は、特定リソースプールを送信リソースプールとして設定し、データを送信する。一方、ＵＥ１００−１は、特定リソースプールを受信リソースプールとして設定しているため、当該データを受信できる。セル内リソースプールが特定リソースプールを含まないため、ＵＥ１００−１は、特定リソースプールによってデータを送信したＵＥの数がセルカバレッジ外に位置するＵＥの数であると把握できる。ＵＥ１００−１は、把握したセルカバレッジ外のＵＥ数をｅＮＢ２００に送信してもよい。ｅＮＢ２００は、セルカバレッジ外のＵＥ数が閾値（例えば、１）未満である場合、ＵＥ１００−１のＤ２Ｄ同期信号の送信を停止させる指示を行ってもよい。
【０１２５】
なお、セル内リソースプールが特定リソースプール（及びセル外リソースプール）を含む場合、ＵＥ１００−１は、セル内リソースプールを設定すれば、特定リソースプールを別途設定しなくても、ＵＥ１００−２からのデータを受信可能である。また、ＵＥ１００−１は、特定リソースプールでデータを送信可能であるため、セルカバレッジ外のＵＥ（ＵＥ１００−２）は、ＵＥ１００−１からのデータを受信可能である。
【０１２６】
このように、上述した各実施形態において、セル内リソースプールは、特定リソースプールを含まなくてもよいし、セル外リソースプール自体を含まなくてもよい。また、セル内リソースプールは、特定リソースプールを含むセル外リソースプールの一部を含んでもよいし、当該セル外リソースプールの一部を含まなくてもよい。
【０１２７】
また、上述した第２実施形態では、Ｄ２Ｄ同期信号（インデックス）を送信するＵＥ１００−１が第１リソースプールに加えて、特定リソースプールを受信リソースプールとして設定していたが、これに限られない。Ｄ２Ｄ同期信号を送信しないセルカバレッジ内の他のＵＥが、特定リソースプールを受信リソースプールとして設定してもよい。第１実施形態も同様である。
【０１２８】
上述した実施形態では、移動通信システムの一例としてＬＴＥシステムを説明したが、ＬＴＥシステムに限定されるものではなく、ＬＴＥシステム以外のシステムに本発明を適用してもよい。
【０１２９】
［付記］
以下において、実施形態の補足事項について記載する。本付記において、Ｄ２ＤＳＳ及びＰＤ２ＤＳＣＨの設計について説明する。
【０１３０】
（ビット・デザイン）
表３に、ＰＤ２ＤＳＣＨのビット割り当ての詳細を示す。
【０１３１】
【表３】
2018152888.tif 000005
【０１３２】
・Ｄ２Ｄ通信Ｍｏｄｅ２のための送信プール
ＰＤ２ＤＳＣＨは、カバレッジ内ＳＡ及びデータリソースプール設定情報を伝送するために十分な数のビットを有しない。よって、当該情報をＰＤ２ＤＳＣＨにより送信しないことを提案する。
【０１３３】
・カバレッジ外ＵＥのための事前設定されたカバレッジ内リソースプール
パーシャルカバレッジの場合を想定すると、カバレッジ内同期元は送信プール情報をカバレッジ外ＵＥに伝送する必要がある。ＰＤ２ＤＳＣＨにより使用されるビット数を最小化するために、ＳＡ／データリソースプール情報をカバレッジ外ＵＥに送信しない。カバレッジ外ＵＥがそのような情報を得るための唯一の方法は、当該ＵＥがカバレッジ内にいる時である。また、カバレッジ内に存在したことがなく、リソースプール情報を受信していないカバレッジ外ＵＥが存在し得る。よって、カバレッジ外ＵＥにはカバレッジ内リソースプールが事前設定されることを提案する。カバレッジ外ＵＥが、ＰＤ２ＤＳＣＨを受信し、かつカバレッジ内プールが設定されていない場合、事前設定されたカバレッジ内プールを使用すべきである。
【０１３４】
提案１：  ＰＤ２ＤＳＣＨは、ＳＡ及びＭｏｄｅ２データの送信プール情報を含むべきではない。
【０１３５】
提案２：  カバレッジ外ＵＥは、カバレッジ内リソースプールのための事前設定されたプールを持つべきである。
【０１３６】
・Ｄ２Ｄ  ＳＦＮ及びスロット番号（D2D SFN and slot number）
このパラメータは、Ｄ２ＤＳＳ及びＰＤ２ＤＳＣＨの位置を示す。同期用リソース（synchronization resource）がいくつかのサブフレームに制限される場合、ビットサイズを削減することができる。
【０１３７】
・最大送信電力（Max Tx power）
セルラシステムを保護するために、カバレッジ外ＵＥが受信可能なＰＤ２ＤＳＣＨ中に電力制御ビットを含めることを提案する。このビットは、カバレッジ内ＵＥがｅＮＢから由来するＤ２ＤＳＳを使用する場合にのみ有効である。
【０１３８】
提案３：  セルラシステムを保護するために、カバレッジ外ＵＥが受信可能なＰＤ２ＤＳＣＨ中に電力制御ビットを含めることを提案する。
【０１３９】
（物理デザイン）
このセクションでは、表３中のＰＤ２ＤＳＣＨの詳細な物理デザインについて説明する。図７に、ＰＤ２ＤＳＣＨデザインを示す。
【０１４０】
・ＰＤ２ＤＳＣＨデザイン
ＰＤ２ＤＳＣＨは、ＰＢＣＨデザインを再使用するべきである。ＰＤ２ＤＳＣＨが４シンボルを有し、Ｄ２ＤＳＳの直後に配置されることを提案する。
【０１４１】
提案４：  ＰＤ２ＤＳＣＨは、ＰＢＣＨデザインを再使用するべきである。ＰＤ２ＤＳＣＨが４シンボルを有し、Ｄ２ＤＳＳの直後に配置されることを提案する。
【０１４２】
・リソース選択
衝突を回避するために、Ｄ２ＤＳＳ設定は、同期期間（synchronization period）内に少なくとも２つの候補位置を有するべきである。カバレッジ外ＵＥは、そのうちの１つをランダムに選択する。カバレッジ内ＵＥは、どのリソースを使用するかをｅＮＢにより設定される。
【０１４３】
提案５：  Ｄ２ＤＳＳ設定は、同期期間内に少なくとも２つの候補位置を有するべきである。
【０１４４】
・通信のためのＤ２ＤＳＳ
同期はＳＡ受信の前に行われるべきであるので、Ｄ２ＤＳＳリソースはＳＡプールの最初のサブフレームに割り当てられるべきである。
【０１４５】
提案６：  Ｄ２ＤＳＳリソースはＳＡプールの最初のサブフレームに割り当てられるべきである。
【０１４６】
［相互参照］
米国仮出願第６２／０３５２２５号（２０１４年８月８日出願）の全内容が参照により本願明細書に組み込まれている。
【産業上の利用可能性】
【０１４７】
本発明は、通信分野において有用である。
【図１】
2018152888.tif 000006
【図２】
2018152888.tif 000007
【図３】
2018152888.tif 000008
【図４】
2018152888.tif 000009
【図５】
2018152888.tif 000010
【図６】
2018152888.tif 000011
【図７】
2018152888.tif 000012
【図８】
2018152888.tif 000013
【図９】
2018152888.tif 000014